(57)【要約】【課題】  セミの産卵管の刺入による光ファイバ心線の損傷に起因する被害を回避することが可能な光ファイバドロップケーブルを提供することを目的とする。【解決手段】  光ファイバ心線１７、２７を挟んで一対のテンションメンバ１６、２６を配置したケーブル部１３、２３に支持線部１１、２３を一体に連結して形成された光ファイバドロップケーブル１０、２０において、光ファイバドロップケーブル１０、２０の表面の色を、金色、銀色、黄色、青色、緑色、又は白色のいずれか１色、又は金色、銀色、黄色、青色、緑色、又は白色の少なくとも２色以上を配色したことを特徴とする。【選択図】図１
2011013314.tif 000002
【特許請求の範囲】
【請求項１】
光ファイバ心線を挟んで一対のテンションメンバを配置したケーブル部に支持線部を一体に連結して形成された光ファイバドロップケーブルにおいて、
前記光ファイバドロップケーブルの表面の色を、金色、銀色、黄色、青色、緑色、又は白色のいずれか１色としたことを特徴とする光ファイバドロップケーブル。
【請求項２】
光ファイバ心線を挟んで一対のテンションメンバを配置したケーブル部に支持線部を一体に連結して形成された光ファイバドロップケーブルにおいて、
前記光ファイバドロップケーブルの表面の色を、金色、銀色、黄色、青色、緑色、又は白色の少なくとも２色以上を配色したことを特徴とする光ファイバドロップケーブル。
【請求項３】
請求項１又は２に記載の光ファイバドロップケーブルにおいて、
前記黄色の色調は、マンセル表色系における色相（Ｈ）が５Ｙ〜１０Ｙ、明度（Ｖ）が８．７５〜１０、彩度（Ｃ）が１０〜２０の範囲であることを特徴とする光ファイバドロップケーブル。
【請求項４】
請求項１又は２に記載の光ファイバドロップケーブルにおいて、
前記青色の色調は、マンセル表色系における色相（Ｈ）が５Ｂ〜１０Ｂ、明度（Ｖ）が８．７５〜１０、彩度（Ｃ）が１０〜２０の範囲であることを特徴とする光ファイバドロップケーブル。
【請求項５】
請求項１又は２に記載の光ファイバドロップケーブルにおいて、
前記緑色の色調は、マンセル表色系における色相（Ｈ）が５ＧＹ〜１０ＧＢ、明度（Ｖ）が８．７５〜１０、彩度（Ｃ）が１０〜２０の範囲であることを特徴とする光ファイバドロップケーブル。
【発明の詳細な説明】
【技術分野】
【０００１】
本発明は、高速通信網を構成するために屋外に架空配設される光ファイバドロップケーブルに関し、さらに詳しくは、昆虫、特にセミの産卵管刺入による被害を有効に防止することが可能な光ファイバドロップケーブルに関する。
【背景技術】
【０００２】
インターネットを初めとした高速通信網を構築するために光ファイバケーブルが各所に架空配設されており、現在では大容量で双方向通信を可能とするネットワークが身近に提供されている。そして、利用者宅に光ファイバケーブルを引き込む際には光ファイバドロップケーブル（以下、単に「ドロップケーブル」という。）が利用されている。従来のドロップケーブルの一例を図４に示す。図４に示すのは従来のドロップケーブルの断面図である。図示されたドロップケーブル１００は、支持線部１０１とケーブル部１０３とを連結部１０２で連結するようにして構成されており、全体としてポリエチレン、難燃性ポリエチレン又はＰＶＣ等の熱可塑性樹脂製のシース１０４によって一体に形状されている。支持線部１０１は断面略円形状とされ、ケーブル部１０３は断面略矩形状とされている。ケーブル部１０３の内部のほぼ中央には光ファイバ心線１０７が配置されると共に、光ファイバ心線１０７を挟んでケーブル部１０３の両端部側には一対のテンションメンバ１０６、１０６が配置されている。
【０００３】
また、ケーブル部１０３の両側面（図４における左右方向）には断面略Ｖ字状のノッチ１０５、１０５が形成されており、このノッチ１０５、１０５を利用してシース１０４を引き裂くことにより光ファイバ心線１０７を取り出すことができるようになっている。尚、テンションメンバ１０５は金属、ガラス繊維或いは合成樹脂等の適宜の素材によって形成される線材によって形成されている。
【０００４】
このようなドロップケーブルについて通信障害が多発することとなり、その原因を調査したところ、クマゼミが産卵のためドロップケーブルを枯れ枝と間違え、ドロップケーブルに産卵管を突き刺して光ファイバ心線を傷つけたためであることが判明した。また、このような事故は毎年７月から９月頃にかけて、特に西日本地域で多発することがわかった。クマゼミがドロップケーブルのＶ字状のノッチに沿わせるようにして産卵管を突き刺すので、ちょうどその内側に配置されている光ファイバ心線が傷つけられてしまい、それによって通信障害が発生することとなる。
【０００５】
そのため、クマゼミ対策を施したドロップケーブルが種々提供されている。例えば、特許文献１の光ファイバケーブルは、Ｖ字状のノッチを接着性低強度樹脂で塞ぐことによりセミがノッチの存在に気がつかないようにしてセミがノッチ部へ産卵しないようにしたものである。また、光ファイバ心線の近傍に防護材を配置したものもある。
【０００６】
また、特許文献２の光ドロップケーブルは、ノッチの形状をスリット状でセミの産卵管をガイドし難い形状とし、セミが産卵管を挿入し難い位置にノッチの開口部を形成すると共に、ノッチの先端までの距離を長くすることでセミの産卵管が光ファイバ心線に到達するおそれを回避しようとするものである。さらに、特許文献３のように、支持線部やケーブル部をポリウレタン、ポリアミド、ポリイミド、高密度ポリエチレンで形成したものも提供されている。
【先行技術文献】
【特許文献】
【０００７】
【特許文献１】特開２００５−３０８９１６号公報
【特許文献２】特開２００６−１６３３３７号公報
【特許文献３】特開２００７−１０１５８６号公報
【発明の概要】
【発明が解決しようとする課題】
【０００８】
しかしながら、上述した従来のドロップケーブルのように、形状や素材を変更したとしても、クマゼミは必ずしもノッチに沿って産卵管を突き刺すとは限らず、また、ドロップケーブルの形状や素材を変更することに伴う製造コストのアップや製造の困難性という製造面の問題や、光ファイバ心線の取り出し性低下など作業性に問題があった。
【０００９】
ここで、生物学者で生物理論を研究している有識者の大学教授によれば、クマゼミは色覚を有しており、繁殖活動においては雌が安心して産卵を行える場所を求めてその色から木の枝、特に枯れ枝、を判別して卵を産む習性があるとのことである。そして、西日本以南から都会へ移植された植木の土の中に幼虫として存在していたクマゼミが夏場に孵化することにより、木々の少ない都会であっても産卵期になるとドロップケーブルを木の枝、特に枯れ枝と勘違いして産卵するため通信障害が発生するということが推察される。
【００１０】
そこで、本発明は、このようなクマゼミの色覚や習性に基づいて、ドロップケーブルを木の枝、特に枯れ枝と勘違いさせないようにすることで昆虫、特にクマゼミの産卵を原因とするによる通信障害を回避することができるとの知見に基づき、セミの産卵管の刺入による光ファイバ心線の損傷に起因する被害を回避することが可能な光ファイバドロップケーブルを提供することを目的とする。
【課題を解決するための手段】
【００１１】
上記目的を達成するため請求項１に記載の発明は、光ファイバ心線を挟んで一対のテンションメンバを配置したケーブル部に支持線部を一体に連結して形成された光ファイバドロップケーブルにおいて、光ファイバドロップケーブルの表面の色を、金色、銀色、黄色、青色、緑色、又は白色のいずれか１色としたことを特徴とする。
【００１２】
上記目的を達成するため請求項２に記載の発明は、光ファイバ心線を挟んで一対のテンションメンバを配置したケーブル部に支持線部を一体に連結して形成された光ファイバドロップケーブルにおいて、光ファイバドロップケーブルの表面の色を、金色、銀色、黄色、青色、緑色、又は白色の少なくとも２色以上を配色したことを特徴とする。
【００１３】
上記目的を達成するため請求項３に記載の発明は、請求項１又は２に記載の光ファイバドロップケーブルにおいて、黄色の色調は、マンセル表色系における色相（Ｈ）が５Ｙ〜１０Ｙ、明度（Ｖ）が８．７５〜１０、彩度（Ｃ）が１０〜２０の範囲であることを特徴とする。
【００１４】
上記目的を達成するため請求項４に記載の発明は、請求項１又は２に記載の光ファイバドロップケーブルにおいて、青色の色調は、マンセル表色系における色相（Ｈ）が５Ｂ〜１０Ｂ、明度（Ｖ）が８．７５〜１０、彩度（Ｃ）が１０〜２０の範囲であることを特徴とする。
【００１５】
上記目的を達成するため請求項５に記載の発明は、請求項１又は２に記載の光ファイバドロップケーブルにおいて、緑色の色調は、マンセル表色系における色相（Ｈ）が５ＧＹ〜１０ＧＢ、明度（Ｖ）が８．７５〜１０、彩度（Ｃ）が１０〜２０の範囲であることを特徴とする。
【発明の効果】
【００１６】
本発明に係る光ファイバドロップケーブルによれば、光ファイバドロップケーブルの表面の色をギラギラとした明るい色（例えば、金色、銀色、白色、黄色など）又は青葉と間違える色（例えば、青色、緑色）としたので、クマゼミの雌が産卵期においても木の枝、特に枯れ枝と間違えることがなく、また、色覚を有するとされるクマゼミの嫌がる色、すなわちギラギラとした明るい色、とすることとしたのでクマゼミが近寄ることがなく、従って産卵に至ることもない。そのため、産卵管の刺入による光ファイバ心線の損傷による被害を確実に防止することができるという効果がある。
【００１７】
また、本発明に本発明に係る光ファイバドロップケーブルによれば、少なくとも光ファイバドロップケーブルの表面の色をクマゼミの嫌がる色とするだけなので光ファイバドロップケーブルの材質や形状を大きく変更する必要はなく、従来の耐セミ用の光ファイバドロップケーブルのように製造面や作業面でのコストアップや光ファイバ心線の取り出し性低下などの問題を回避することができるという効果がある。
【図面の簡単な説明】
【００１８】
【図１】本発明に係る光ファイバドロップケーブルの第一実施形態の断面図である。
【図２】（ａ）（ｂ）は２以上色を着色した場合を示す参考図である。
【図３】本発明に係る光ファイバドロップケーブルの第二実施形態の断面図である。
【図４】従来の光ファイバドロップケーブルの断面図である。
【発明を実施するための形態】
【００１９】
以下、本発明に係る光ファイバドロップケーブルの好ましい一実施形態について説明する。本発明に係る光ファイバドロップケーブルの第一実施形態の断面図である。図示された光ファイバドロップケーブル１０（以下、単に「ドロップケーブル１０」という）は、概略として従来のドロップケーブルと同様の構成を備えており、支持線部１１とケーブル部１３とを連結部１２で連結するようにして構成されている。
【００２０】
支持線部１１、ケーブル部１３及び連結部１２は、ポリエチレン、難燃性ポリエチレン又はＰＶＣ等の熱可塑性樹脂製で形成されており、シース１４によって一体に形状されている。そして、支持線部１１は断面略円形状とされ、ケーブル部１３は断面略矩形状とされている。ケーブル部１３の内部のほぼ中央には光ファイバ心線１７が配置されると共に、光ファイバ心線１７を真ん中に挟んでケーブル部１３の両端部側には一対のテンションメンバ１６、１６が配置されている。
【００２１】
ケーブル部１３の両側面（図１における左右方向）には断面略Ｖ字状のノッチ１５、１５が形成されており、このノッチ１５、１５を利用してシース１４を引き裂き、光ファイバ心線１７を取り出すことができるようになっている。
【００２２】
このように形成されたドロップケーブル１０の表面１０ａを色覚を有するとされるクマゼミが卵を産みつけるための木の枝、特に枯れ枝の色とは異なる色に着色する。好ましくは、産卵期のクマゼミの雌が嫌がるギラギラとした明るい色、例えば、金色、銀色、白色、黄色など、又は青葉と間違える色、例えば、青色、緑色、に着色する。クマゼミは茶褐色系の色又は暗い色をした細長いものを木の枝と認識すると考えられるため、そのような色とは明らかに異なる色とすることでクマゼミの誤認を防止することができる。
【００２３】
着色は、上述したそれぞれの色の塗料をドロップケーブル１０に塗布することによって行うこともでき、シース１４を形成するための合成樹脂に予め塗料を混合することにより着色された合成樹脂でシース１４を形成するようにすることもできる。銀色の場合は、例えば、アルミニウムの粉末を溶剤に分散させたものを利用することができるし、アルミニウムの薄い箔で覆うことも可能である。また、金色は、上述した銀色の塗料に黄色の塗料を適宜混合することで得ることができる。さらに、白色は、例えば、二酸化チタンを主成分とする塗料を用いることができる。
【００２４】
また、黄色、青色、緑色の場合は、金色、銀色などの場合と同様に、それぞれ色の塗料をドロップケーブル１０に塗布することによって行うこともでき、シース１４を形成するための合成樹脂に予め塗料を混合することにより着色された合成樹脂でシース１４を形成するようにすることができる。ここで、着色すべき色は、なるべく木の枝の色である茶褐色から遠い色が好ましく、また、黒色を含む暗い色、あるいは赤色やオレンジ色系はなるべく避けることが好ましい。
【００２５】
具体的には、黄色の場合はマンセル表色系における色相（Ｈ）が５Ｙ〜１０Ｙ、明度（Ｖ）が８．７５〜１０、彩度（Ｃ）が１０〜２０の範囲であることが好ましい。また、青色の場合は、マンセル表色系における色相（Ｈ）が５Ｂ〜１０Ｂ、明度（Ｖ）が８．７５〜１０、彩度（Ｃ）が１０〜２０の範囲であることが好ましい。また、緑色の場合は、マンセル表色系における色相（Ｈ）が５ＧＹ〜１０ＧＢ、明度（Ｖ）が８．７５〜１０、彩度（Ｃ）が１０〜２０の範囲であることが好ましい。
【００２６】
また、ドロップケーブル１０の表面１０ａ表面の配色は単色とするだけでなく、金色、銀色、黄色、青色、緑色、又は白色の少なくとも２色以上を配色してもよい。配色について特に制限はなく、ドロップケーブル１０の長手方向に沿って上面と下面に適宜の２色以上の組み合わせ（図２（ａ）参照）、例えば、白色と黄色などで着色してもよい。また、２色以上でドロップケーブル１０の表面１０ａを縞状（図２（ｂ）参照）や、あるいは螺旋状に着色してもよい。
【００２７】
クマゼミは昼間に行動する昆虫であり、電柱や電線の色に反応しており、その行動から色覚はあると推測される。特に、メスは産卵行動においてメタリック系の金色、銀色および明るすぎる白色は視野が安定しないため嫌う傾向にある。
【００２８】
次に、図３に示すのは、本発明に係る光ファイバドロップケーブルの第二実施形態の断面図である。図示された光ファイバドロップケーブル２０（以下「ドロップケーブル２０」という）は、概略として第一の実施形態のドロップケーブル１０とほぼ同様に、支持線部２１とケーブル部２３が連結部２２によって連結されて構成されている。
【００２９】
支持線部２１、ケーブル部２３及び連結部２２は、ポリエチレン、難燃性ポリエチレン又はＰＶＣ等の熱可塑性樹脂製で形成されており、シース２４によって一体に形状されている。そして、支持線部２１は断面略円形状とされ、ケーブル部２３は断面略矩形状とされている。ケーブル部２３の内部には２本の光ファイバ心線２７、２７が配置されると共に、光ファイバ心線２７、２７を挟んでケーブル部２３の両端部側には一対のテンションメンバ２６、２６が配置されている。
【００３０】
ケーブル部２３の両側面（図２における左右方向）には断面略Ｖ字状のノッチ２５、２５が２段にわたって形成されており、このいずれかのノッチ２５、２５を利用してシース２４を引き裂き、光ファイバ心線２７、２７のそれぞれ取り出すことができるようになっている。
【００３１】
上述したようなドロップケーブル２０の表面２０ａを第一の実施形態において説明したようなギラギラとした明るい色、例えば、金色、銀色、白色、黄色など、又は青葉と間違える色、例えば、青色、緑色、に着色することでクマゼミが近づくことを防止し、産卵管刺入による光ファイバ心線の損傷を回避することが可能となる。また、ドロップケーブル１０の表面１０ａを金色、銀色、黄色、青色、緑色、又は白色の少なくとも２色以上を配色してもよいことはいうまでもない。
【００３２】
このように、本発明に係る光ファイバドロップケーブルによれば、形状や材質等を従来のものから変更しなくてもクマゼミによる通信障害を効果的に回避することができる。
【００３３】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。
【符号の説明】
【００３４】
１０、２０      ドロップケーブル
１０ａ、２０ａ      表面
１１、２１      支持線部
１２、２２      連結部
１３、２３      ケーブル部
１４、２４      シース
１５、２５      ノッチ
１６、２６      テンションメンバ
１７、２７      光ファイバ心線
【図１】
2011013314.tif 000003
【図２】
2011013314.tif 000004
【図３】
2011013314.tif 000005
【図４】
2011013314.tif 000006